(57)【要約】【課題】  安価で、保守容易で、正確に、窒素酸化物の検出が可能なＮＯｘ測定装置とＮＯｘ測定方法とを提供する。特に、安価なジルコニア式ＮＯｘセンサを用いても、アンモニアや尿素の影響を排除して、検出気体中の窒素酸化物濃度を正確に検出可能とする。【解決手段】  排ガスＧ中にアンモニアまたは尿素水を還元剤として注入し、これを脱硝触媒に通過させることにより排ガスＧ中の窒素酸化物の還元を図る脱硝装置に適用され、この脱硝装置から排出される排ガスＧ中に残留する窒素酸化物の濃度を検出する装置であって、排ガスＧを冷却して排ガスＧ中の水分を凝縮させる冷却器７と、この冷却器７で凝縮した水分を除去した後の排ガスＧを供給して、その排ガスＧ中の窒素酸化物濃度を検出するジルコニア式ＮＯｘセンサ１１とを備えている。【選択図】  図２
2007333405.tif 000002
【特許請求の範囲】
【請求項１】
アンモニアまたは尿素の影響を受けるが窒素酸化物濃度を検出するためのＮＯｘセンサを用い、検出気体中に含まれるアンモニアまたは尿素の影響を除去しつつ、検出気体中の窒素酸化物濃度を検出する装置であって、
検出気体から水分を凝縮して除去すると共に、その水分除去後の検出気体を前記ＮＯｘセンサへ供給して窒素酸化物濃度を検出する
ことを特徴とするＮＯｘ測定装置。
【請求項２】
排ガス中にアンモニアまたは尿素水を還元剤として注入しつつ、脱硝触媒にて排ガス中の窒素酸化物の還元を図る脱硝装置に適用され、この脱硝装置から排出される排ガス中に残留する窒素酸化物の濃度を検出する装置であって、
排ガスの冷却により、排ガス中の水分の凝縮を図る冷却器と、
この冷却器により凝縮された水分が除去された排ガスが供給され、その排ガス中の窒素酸化物濃度を検出するジルコニア式ＮＯｘセンサと
を備えることを特徴とするＮＯｘ測定装置。
【請求項３】
前記冷却器は、排ガスが通されるコイル状配管が空冷または水冷される構成であり、
前記コイル状配管からの排ガスは、中空タンク内へ供給され、
この中空タンクにて凝縮水が分離された排ガスは、前記中空タンクから定量ポンプを介して前記ＮＯｘセンサへ供給される
ことを特徴とする請求項２に記載のＮＯｘ測定装置。
【請求項４】
前記中空タンク内には水が貯留され、この貯留水の水面または水中へ排ガスが噴出される一方、前記中空タンクの上部から前記ＮＯｘセンサへ向けて排ガスが排出される
ことを特徴とする請求項３に記載のＮＯｘ測定装置。
【請求項５】
前記中空タンクは、冷却フィンを備えると共に、所定以上の凝縮水を排水可能とされた
ことを特徴とする請求項３または請求項４に記載のＮＯｘ測定装置。
【請求項６】
検出気体中に含まれるアンモニアまたは尿素を、水へ溶かし込んだ後、その水を除去した検出気体中の窒素酸化物濃度を検出する
ことを特徴とするＮＯｘ測定方法。
【請求項７】
排ガス中にアンモニアまたは尿素水を還元剤として注入しつつ、脱硝触媒にて排ガス中の窒素酸化物の還元を図る脱硝装置において、前記脱硝触媒通過後の排ガス中に残留する窒素酸化物濃度を検出する方法であって、
排ガスの冷却により排ガス中の水分の凝縮を図った後、その凝縮水を除去した排ガス中の窒素酸化物濃度をジルコニア式ＮＯｘセンサにて検出する
ことを特徴とするＮＯｘ測定方法。
【発明の詳細な説明】
【技術分野】
【０００１】
本発明は、窒素酸化物（ＮＯｘ）を検出するためのＮＯｘ測定装置とＮＯｘ測定方法とに関するものである。特に、アンモニアまたは尿素水を還元剤として用いつつ窒素酸化物の還元を図る脱硝装置と共に使用され、脱硝装置からの排ガスに残留する窒素酸化物の濃度を、前記還元剤として注入したアンモニアや尿素に影響されることなくジルコニア式ＮＯｘセンサにて検出するためのＮＯｘ測定装置とＮＯｘ測定方法とに関するものである。
【背景技術】
【０００２】
ＮＯｘセンサとして、従来、常圧式化学発光式のものと、ジルコニア式のものとが存在する。
【発明の開示】
【発明が解決しようとする課題】
【０００３】
しかしながら、化学発光式のＮＯｘセンサは、測定原理および装置が複雑で、一台数百万円を要し高価である。しかも、校正用ガスを用いた校正作業を、頻繁に行う必要があり不便であった。一方、ジルコニア式のＮＯｘセンサは、安価であるものの、その測定原理により、アンモニアを窒素酸化物と誤測定してしまう問題点があった。従って、特に、アンモニアまたは尿素水を還元剤として用いつつ窒素酸化物の還元を図る脱硝装置と共に使用する場合、脱硝装置からの排ガスに残留する窒素酸化物の濃度を正確に測定するのが困難であった。
【０００４】
本発明が解決しようとする課題は、安価で、保守容易で、正確に、窒素酸化物の検出が可能なＮＯｘ測定装置とＮＯｘ測定方法とを提供することにある。特に、ジルコニア式ＮＯｘセンサを用いても、アンモニアや尿素の影響を除去して、検出気体中の窒素酸化物濃度を正確に検出できるＮＯｘ測定装置とＮＯｘ測定方法とを提供することにある。
【課題を解決するための手段】
【０００５】
本発明は、前記課題を解決するためになされたもので、請求項１に記載の発明は、アンモニアまたは尿素の影響を受けるが窒素酸化物濃度を検出するためのＮＯｘセンサを用い、検出気体中に含まれるアンモニアまたは尿素の影響を除去しつつ、検出気体中の窒素酸化物濃度を検出する装置であって、検出気体から水分を凝縮して除去すると共に、その水分除去後の検出気体を前記ＮＯｘセンサへ供給して窒素酸化物濃度を検出することを特徴とするＮＯｘ測定装置である。
【０００６】
請求項１に記載の発明によれば、検出気体中の水分を凝縮させることで、その凝縮水へ検出気体中のアンモニアまたは尿素を溶け込ませることができる。そして、そのような凝縮水を除去した後、ＮＯｘセンサにて窒素酸化物濃度を検出することで、アンモニアまたは尿素の影響を排除した正確な濃度測定が可能となる。
【０００７】
請求項２に記載の発明は、排ガス中にアンモニアまたは尿素水を還元剤として注入しつつ、脱硝触媒にて排ガス中の窒素酸化物の還元を図る脱硝装置に適用され、この脱硝装置から排出される排ガス中に残留する窒素酸化物の濃度を検出する装置であって、排ガスの冷却により、排ガス中の水分の凝縮を図る冷却器と、この冷却器により凝縮された水分が除去された排ガスが供給され、その排ガス中の窒素酸化物濃度を検出するジルコニア式ＮＯｘセンサとを備えることを特徴とするＮＯｘ測定装置である。
【０００８】
請求項２に記載の発明によれば、排ガス中の水分を凝縮させることで、その凝縮水へ排ガス中のアンモニアまたは尿素を溶け込ませることができる。そして、そのような凝縮水を除去した後、ＮＯｘセンサにて窒素酸化物濃度を検出することで、ジルコニア式ＮＯｘセンサであっても、アンモニアまたは尿素の影響を排除した正確な濃度測定が可能となる。従って、アンモニアまたは尿素水を還元剤として用いつつ窒素酸化物の還元を図る脱硝装置と共に使用する場合でも、脱硝装置からの排ガスに残留する窒素酸化物の濃度を正確に測定することができる。
【０００９】
請求項３に記載の発明は、前記冷却器は、排ガスが通されるコイル状配管が空冷または水冷される構成であり、前記コイル状配管からの排ガスは、中空タンク内へ供給され、この中空タンクにて凝縮水が分離された排ガスは、前記中空タンクから定量ポンプを介して前記ＮＯｘセンサへ供給されることを特徴とする請求項２に記載のＮＯｘ測定装置である。
【００１０】
請求項３に記載の発明によれば、空冷または水冷されるコイル状配管内に排ガスを通すことで、排ガスからの水分の凝縮を円滑かつ容易に行うことができる。そして、中空タンクにて凝縮水を捨てた後、定量ポンプを介してＮＯｘセンサへ排ガスを供給することで、より正確な濃度測定が可能となる。
【００１１】
請求項４に記載の発明は、前記中空タンク内には水が貯留され、この貯留水の水面または水中へ排ガスが噴出される一方、前記中空タンクの上部から前記ＮＯｘセンサへ向けて排ガスが排出されることを特徴とする請求項３に記載のＮＯｘ測定装置である。
【００１２】
請求項４に記載の発明によれば、水面または水中へ排ガスを噴出することで、排ガス中のアンモニアまたは尿素の水への溶け込みを一層確実に行うことができる。
【００１３】
請求項５に記載の発明は、前記中空タンクは、冷却フィンを備えると共に、所定以上の凝縮水を排水可能とされたことを特徴とする請求項３または請求項４に記載のＮＯｘ測定装置である。
【００１４】
請求項５に記載の発明によれば、冷却フィンにより排ガスおよび凝縮水の冷却を図ることができる。また、中空タンク内に所定量以上の水が溜まると、それを自動排出することができる。
【００１５】
請求項６に記載の発明は、検出気体中に含まれるアンモニアまたは尿素を、水へ溶かし込んだ後、その水を除去した検出気体中の窒素酸化物濃度を検出することを特徴とするＮＯｘ測定方法である。
【００１６】
請求項６に記載の発明によれば、検出気体中のアンモニアまたは尿素を水へ溶け込ませて除去した後、窒素酸化物濃度を検出することで、アンモニアまたは尿素の影響を排除した正確な濃度測定が可能となる。
【００１７】
さらに、請求項７に記載の発明は、排ガス中にアンモニアまたは尿素水を還元剤として注入しつつ、脱硝触媒にて排ガス中の窒素酸化物の還元を図る脱硝装置において、前記脱硝触媒通過後の排ガス中に残留する窒素酸化物濃度を検出する方法であって、排ガスの冷却により排ガス中の水分の凝縮を図った後、その凝縮水を除去した排ガス中の窒素酸化物濃度をジルコニア式ＮＯｘセンサにて検出することを特徴とするＮＯｘ測定方法である。
【００１８】
請求項７に記載の発明によれば、排ガス中の水分を凝縮させることで、その凝縮水へ排ガス中のアンモニアまたは尿素を溶け込ませることができる。そして、そのような凝縮水を除去した後、ＮＯｘセンサにて窒素酸化物濃度を検出することで、ジルコニア式ＮＯｘセンサであっても、アンモニアまたは尿素の影響を排除した正確な濃度測定が可能となる。従って、アンモニアまたは尿素水を還元剤として用いつつ窒素酸化物の還元を図る脱硝装置と共に使用する場合でも、脱硝装置からの排ガスに残留する窒素酸化物の濃度を正確に測定することができる。
【発明の効果】
【００１９】
本発明のＮＯｘ測定装置およびＮＯｘ測定方法によれば、安価で、保守容易で、正確に、窒素酸化物の検出が可能となる。特に、ジルコニア式ＮＯｘセンサを用いても、アンモニアや尿素の影響を排除して、検出気体中の窒素酸化物濃度を正確に検出できるＮＯｘ測定装置とＮＯｘ測定方法とを提供することができる。
【発明を実施するための最良の形態】
【００２０】
次に、本発明にかかるＮＯｘ測定装置とＮＯｘ測定方法の実施形態について説明する。この測定装置と測定方法は、アンモニアや尿素の影響を受け易い安価なＮＯｘセンサを用いるにも拘らず、検出気体中に含まれるアンモニアや尿素による影響を排除して、検出気体に本来含まれている窒素酸化物の濃度を正確に測定できるようにしたものである。この発明では、検出気体から水分を凝縮して除去し、水分が除去された後の検出気体を前記ＮＯｘセンサへ供給して窒素酸化物濃度を検出することを特徴としている。このように、検出気体中の水分を凝縮させると、その凝縮水に検出気体中のアンモニアや尿素が溶け込む。そして、凝縮水を排ガスから分離除去すると、排ガスからアンモニアや尿素が取り除かれるので、このアンモニアや尿素が取り除かれた排ガスをＮＯｘセンサに送ってＮＯｘ値の検出を行う。これにより、アンモニアや尿素の影響を排除した正確なＮＯｘ濃度の測定が行える。
【００２１】
また、ボイラーなどにおいては、高温・高圧で燃焼することにより空気中の窒素と酸素が反応してＮＯｘを生成するので、このＮＯｘを除去するために脱硝装置が併設される。この脱硝装置は、排ガス中にアンモニアまたは尿素水を還元剤として注入し、この還元剤が注入された排ガスを脱硝触媒に通過させて排ガス中のＮＯｘを還元して除去するものである。しかし、この脱硝装置のように還元剤としてアンモニアや尿素水を使用すると、アンモニアや尿素の影響を受け易い。例えば安価なジルコニア式のＮＯｘセンサを用いて、脱硝装置からの排ガス中に含まれる残留ＮＯｘ濃度を調べるようなとき、前記ＮＯｘセンサが誤測定する。そこで、本発明は、以上のような脱硝装置に適用して、還元剤として排ガス中に注入するアンモニアや尿素水による影響を排除して、排ガスに本来含まれるＮＯｘだけを正確に測定できるようにしたものである。
【００２２】
前記脱硝装置は、例えば発電機に備えられる燃焼機器からの排ガスの経路に設けられ、排ガスに窒素酸化物の還元剤を注入する還元剤注入器と、この還元剤注入器により還元剤が注入された排ガスが通され、その排ガス中の窒素酸化物を還元する脱硝触媒が装填された脱硝反応器とを備えている。そして、前記燃焼機器から排出される排ガスに前記注入器から還元剤が注入され、この還元剤が前記脱硝反応器において排ガス中のＮＯｘと反応し、ＮＯｘが窒素と水に分解されて無害化される。前記脱硝反応器に装填される脱硝触媒としては、例えばバナジウム、タングステン系のものが好適に用いられる。この脱硝触媒は、前記還元剤と排ガス中のＮＯｘとの反応を促進できる。前記還元剤注入器としては、例えばストローク式のポンプが用いられ、このポンプの吐出側先端にノズルを取り付けて、このノズルから還元剤を前記排ガスに注入する。
【００２３】
以上の脱硝装置に用いられる測定装置は、排ガスを冷却して、これに含まれる水分を凝縮させる冷却器と、その下流に設けられる中空タンクおよび定量ポンプと、これらを通過した排ガス中の窒素酸化物濃度を測定するＮＯｘセンサとを備えている。このとき、ＮＯｘセンサとしては、ジルコニアセラミックを素材とするジルコニア式のものが使用される。
【００２４】
前記測定装置では、定量ポンプの駆動により脱硝装置を通過した排ガスの一部が取り込まれて冷却器へと送られ、これを通過するときに冷却されて、排ガスに含まれる水分(水蒸気)が凝縮される。このとき、還元剤として用いられるアンモニアや尿素水は水溶性であるので、冷却器での冷却により凝縮された水中に溶け込む。そして、前記冷却器から中空タンクへと送られ、ここで気液分離されて、液体つまりアンモニアや尿素が溶け込んだ凝縮水は前記タンク内に溜められる。一方、気体つまりアンモニアや尿素水を含む凝縮水が除去された排ガスは、前記中空タンクから定量ポンプを経てＮＯｘセンサへと送られ、このＮＯｘセンサで脱硝装置からの排ガスに残留する窒素酸化物の濃度が測定される。
【００２５】
前記冷却器としては、空冷または水冷式のコイル状配管が用いられ、この配管内に排ガスを通すことにより、排ガスに含まれる水分の凝縮が円滑かつ容易に行われる。そして、前記中空タンクにて凝縮水を分離してから、定量ポンプを経て前記ジルコニア式ＮＯｘセンサへと送ることにより、排ガス中に残留する窒素酸化物の正確な濃度測定が行われる。
【００２６】
前記中空タンクには、外周壁に多数の冷却フィンを設けることが好ましい。このようにすると、冷却フィンにより前記タンクに送られる排ガスや凝縮水を冷却し、還元剤として注入されたアンモニアや尿素をさらに確実に除去して、正確なＮＯｘの測定が行える。また、前記中空タンクには、オーバーフロー管を取り付けて、このタンク内に所定以上の凝縮水が溜まったとき、これを外部に排出することが好ましい。
【００２７】
さらに、前記中空タンク内には水を貯留させておき、その水面または水中に前記冷却器として設けるコイル状配管冷却の先端を臨ませ、また、前記ＮＯｘセンサに至る配管の端部を貯留水の水面より上方に位置させて、前記配管からの排ガスを貯留水に噴出して接触させてからＮＯｘセンサへと送ることが好ましい。このようにすると、排ガス中のアンモニアまたは尿素の水への溶け込みが確実に行える。
【実施例１】
【００２８】
以下、本発明にかかるＮＯｘ測定装置と測定方法の具体例を図面に基づいて説明する。図１は本発明にかかる測定装置を装備した脱硝装置の配管ブロック図である。この図の実施例では、ＮＯｘの排出源となる燃焼機器を備えた発電機１と、この発電機１から延びる煙道２に接続され、内部に例えばバナジウム系の脱硝触媒が装填された脱硝反応器３と、煙道２における発電機１の下流側に配置され、煙道２内を通る排ガスＧに、これに含まれるＮＯｘを還元する尿素水やアンモニア(還元剤)を注入する噴霧ノズル４１を備えたポンプからなる還元剤注入器４と、発電機１の発電量に基づき、還元剤注入器４による還元剤Ｒの注入量を制御する制御手段５と、脱硝反応器３を通過して大気に排出される排ガス中に含まれる窒素酸化物(ＮＯｘ)を測定するＮＯｘ測定装置６とを備えている。
【００２９】
制御手段５は、発電機１の出力部１２からの信号を検出し、発電機１の発電量に応じて予め定められた関数マップの注入量に基づき注入器４１からの注入量を制御する。
【００３０】
図２は測定装置６の概略を示すフロー図である。この図２では、脱硝反応器３の出口側の煙道２に第１配管Ｐ１を介して冷却器７を、その下流側に中空タンク８を接続するとともに、このタンク８の出口側の途中に逆止弁ＶとフローメータＭが介装された第２配管Ｐ２を介して定量ポンプ９を接続し、その出口側に第３配管Ｐ３を介してＮＯｘ検出器１０に連結されたジルコニア式のＮＯｘセンサ１１を設けている。
【００３１】
冷却器７として、図２の実施例では空冷式のコイル状配管７１を用い、これの入口側を煙道２に接続された第１配管Ｐ１に、出口側をタンク８の蓋板８１に上下貫通して取り付けた入口管８２にそれぞれ接続している。また、蓋板８１には、上方に突出して第２配管Ｐ２に接続される出口管８３が取り付けられている。さらに、タンク８の外壁には、多数の冷却フィン８４が形成され、このフィン８４により入口管８２からタンク８内に送られた排ガスや冷却器７による凝縮水を冷却する。
【００３２】
図２の実施例では、タンク８の内部に水Ｗを装填し、この水中にタンク８の入口管８２の先端を突入させて、冷却器７により冷却された排ガスＧと凝縮水を入口管８２から水中に噴出させてバブリングさせるようにしている。
【００３３】
また、タンク８の底壁にはオーバーフロー管８５が取り付けられ、このタンク８内に所定以上の凝縮水が溜まったとき、これをオーバーフロー管８５により外部に自動排出するようにしている。
【００３４】
以上のＮＯｘ測定装置６では、脱硝反応器３で脱硝されて煙道２を通って大気に排出される排ガスＧの一部が定量ポンプ９の駆動により第１配管Ｐ１から冷却器７へと取り込まれ、そのコイル状配管７１を通過するときに空冷されて、排ガスＧに含まれる水分(水蒸気)が凝縮される。このとき、脱硝反応器３で脱硝するために還元剤として用いられるアンモニアや尿素水は水溶性であるので、これらは冷却器７での冷却により凝縮された水中に溶け込む。そして、冷却器７から入口管８２を通ってタンク８へ送られ、ここで気液分離されて、アンモニアや尿素水が溶け込んだ水はタンク８内に装填された水Ｗに混入されて溜められる。一方、アンモニアや尿素水を含む水が除去された排ガスＧは、タンク８から定量ポンプ９を経てジルコニア式ＮＯｘセンサ１１へと送られ、このＮＯｘセンサ１１による検出値に基づき検出器１０により脱硝反応器３からの排ガスＧに残留するＮＯｘ濃度が測定される。
【００３５】
このとき、タンク８の内部に水Ｗが装填されて、この水中にタンク８の入口管８２の先端が突入されているので、冷却器７により冷却された排ガスと凝縮水は、入口管８２から水中に噴出されてバブリングされる。このため、排ガス中のアンモニアや尿素水の水Ｗへの溶け込みがより確実に行え、つまり、アンモニアや尿素水の排ガスからの分離がより確実に行われる。また、タンク８の外壁には多数の冷却フィン８４が形成され、このフィン８４により排ガスや冷却器７による凝縮水が冷却されるので、還元剤として注入されたアンモニアや尿素水がさらに確実に除去されて、ジルコニア式ＮＯｘセンサ１１によるＮＯｘの測定がより正確に行われる。
【００３６】
図３は、縦軸にＮＯｘ指示値(ｐｐｍ)を、横軸にポンプストローク数(ｓｐｍ)をとった還元剤の注入量に対するＮＯｘ値の変化量を示すグラフである。同グラフにおいて、Ａ１は図２の測定装置６により脱硝反応器通過後の排ガス中に含まれるＮＯｘ濃度を測定した測定値を、また、Ｂ１は市販の高精度ＮＯｘ濃度検出装置((株)堀場製作所製ＭＥＸＡ、エンジン排ガス測定装置)を用いて排ガス中のＮＯｘ濃度を測定した測定値をそれぞれ表した線である。この線Ｂ１は、冷却器７の上流側のＳ位置において第1配管Ｐ１から採取した排ガスＧを測定して得られたものである。
【００３７】
図３の各線Ａ１，Ｂ１で明らかなように、この実施例の測定装置を使用すれば、高価な高精度ＮＯｘ濃度検出装置を用いる場合とほぼ同等の精度でＮＯｘ濃度の検出を行うことができる。特に、各線Ａ１，Ｂ１は、ポンプストローク数が１５０を越えた領域つまりＮＯｘ指示値の小さい領域においては、両者殆ど差が見られず、この実施例の測定装置では高精度ＮＯｘ濃度検出装置を用いる場合と同等の高精度でＮＯｘ濃度の検出を行えることが理解できる。
【実施例２】
【００３８】
図４は本発明にかかる測定装置の別の実施例を示している。この図の実施例では、タンク８の内部に水Ｗを装填することなく、このタンク８内を空の状態として、この空のタンク８内にコイル状配管７１を通過した排ガスＧを噴出させて、バブリングを行うことなく気液分離を行い、ここで分離されたアンモニアや尿素水が溶け込んだ水をタンク８内に溜める。また、アンモニアや尿素水を含む水が除去された排ガスＧは、前記と同様にタンク８から定量ポンプ９を経てジルコニア式ＮＯｘセンサ１１へと送り、このＮＯｘセンサ１１による検出値に基づき検出器１０により脱硝反応器３からの排ガスＧに残留するＮＯｘ濃度が測定される。
【００３９】
図５は、図３と同じく、縦軸にＮＯｘ指示値(ｐｐｍ)を、横軸にポンプストローク数(ｓｐｍ)をとった還元剤の注入量に対するＮＯｘ値の変化量を示すグラフである。同グラフにおいて、Ａ２は図４の測定装置６により脱硝反応器通過後の排ガス中に含まれるＮＯｘ濃度を測定した測定値を、また、Ｂ２は市販の高精度ＮＯｘ濃度検出装置((株)堀場製作所製ＭＥＸＡ、エンジン排ガス測定装置)を用いて排ガス中のＮＯｘ濃度を測定した測定値をそれぞれ表した線である。この線Ｂ２は、冷却器７の上流側のＳ位置において第1配管Ｐ１から採取した排ガスＧを測定して得られたものである。
【００４０】
図５の各線Ａ２，Ｂ２から明らかなように、この実施例２の測定装置を使用すれば、高価な高精度ＮＯｘ濃度検出装置を用いる場合とほぼ同等の精度でＮＯｘ濃度の検出を行うことができる。特に、各線Ａ２，Ｂ２は、ポンプストローク数が１５０を越えた領域つまりＮＯｘ指示値の小さい領域においては、両者殆ど差が見られず、高精度ＮＯｘ濃度検出装置を用いる場合と同等の高精度でＮＯｘ濃度の検出を行えることが理解できる。
【実施例３】
【００４１】
図６は本発明にかかる測定装置６のさらに別の実施例を示している。この図の実施例では、前記各実施例の場合と異なり、冷却器７として水冷式のものを用いている。この冷却器７は、タンク８内に水Ｗを装填して、その水Ｗ中に水冷タンク７２を一部埋没させた状態で設置して、この水冷タンク７２の外壁を水Ｗで冷却する。そして、水冷タンク７２の上部に煙道２から延びる第４配管Ｐ４を臨ませ、また、水冷タンク７２の上部からＮＯｘセンサ１１に至る第５配管Ｐ５を延出させている。
【００４２】
以上の測定装置６では、脱硝反応器３で脱硝されて煙道２を通って大気に排出される排ガスＧの一部が第４配管Ｐ４からタンク８内の水Ｗで冷却される水冷タンク７２内に送られ、ここで排ガスＧに含まれる水分が凝縮されて、その凝縮水Ｗ１に還元剤として用いられたアンモニアや尿素水が溶け込み、この凝縮水Ｗ1が水冷タンク７内で排ガスＧから分離されて水冷タンク７内に溜められる。一方、凝縮水Ｗ１が除去された排ガスＧは、水冷タンク７２の上部から第５配管５を通ってジルコニア式ＮＯｘセンサ１１へと送られ、このＮＯｘセンサ１１による検出値に基づき検出器１０により脱硝反応器３からの排ガスＧに残留するＮＯｘ濃度が測定される。
【００４３】
図７は、図３と同じく、縦軸にＮＯｘ指示値(ｐｐｍ)を、横軸にポンプストローク数(ｓｐｍ)をとった還元剤の注入量に対するＮＯｘ値の変化量を示すグラフである。同グラフにおいて、Ａ３は図６の測定装置６により脱硝反応器通過後の排ガス中に含まれるＮＯｘ濃度を測定した測定値を、また、Ｂ３は市販の高精度ＮＯｘ濃度検出装置((株)堀場製作所製ＭＥＸＡ、エンジン排ガス測定装置)を用いて排ガス中のＮＯｘ濃度を測定した測定値をそれぞれ表した線である。この線Ｂ３は、第５配管Ｐ５におけるＮＯｘセンサ１１と同位置に市販の濃度検出装置Ｄを接続し、この第５配管Ｐ５から採取した排ガスＧを測定して得られたものである。
【００４４】
図７の各線Ａ３，Ｂ３で明らかなように、この実施例３の測定装置を使用すれば、高価な高精度ＮＯｘ濃度検出装置を用いる場合とほぼ同等の精度でＮＯｘ濃度の検出を行うことができる。特に、各線Ａ１，Ｂ１は、ポンプストローク数が１５０を越えた領域つまりＮＯｘ指示値の小さい領域においては、両者殆ど差が見られず、この実施例３の測定装置では、高精度ＮＯｘ濃度検出装置Ｄを用いる場合と同等の高精度でＮＯｘ濃度の検出を行えることが理解できる。
【図面の簡単な説明】
【００４５】
【図１】本発明にかかる測定装置を装備した脱硝装置の配管ブロック図である。
【図２】同測定装置の概略を示すフロー図である。
【図３】同測定装置による還元剤の注入量に対するＮＯｘの変化量を示すグラフである。
【図４】本発明にかかる測定装置の別の実施例を示すフロー図である。
【図５】同測定装置による還元剤の注入量に対するＮＯｘの変化量を示すグラフである。
【図６】本発明にかかる測定装置のさらに別の実施例を示すフロー図である。
【図７】同測定装置による還元剤の注入量に対するＮＯｘの変化量を示すグラフである。
【符号の説明】
【００４６】
７    冷却器  
７１  コイル状配管
８    中空タンク
８４  フィン
９    定量ポンプ
１０  ＮＯｘセンサ(ジルコニア式ＮＯｘセンサ)
Ｇ    排ガス
Ｗ    水
Ｗ１  凝縮水
【図１】
2007333405.tif 000003
【図２】
2007333405.tif 000004
【図３】
2007333405.tif 000005
【図４】
2007333405.tif 000006
【図５】
2007333405.tif 000007
【図６】
2007333405.tif 000008
【図７】
2007333405.tif 000009